(57)【要約】  【課題】  テープカウンタのカウント値における時・分は勿論、秒のデータもＤＶＤレコーダ側の表示部やディスプレイ装置に表示できるようにした複合型記録再生装置を提供する。  【解決手段】  ＶＣＲ２に装填された磁気テープに対して例えば高速早送りが開始すると、テープカウンタ２５１のカウント値の時・分のデータはＶＣＲ２のシステムコントローラ２４からデータラインＬ１３を介し、その秒のデータは秒データ伝送ラインＬ１２を介し、ＤＶＤレコーダ１のシステムコントローラ１６に伝送される。システムコントローラ１６では、秒データ伝送ラインＬ１２を介して入力された１パルスが６０個になったときカウント値を１分として処理し、また、１秒を示す１パルスによるカウント値も表示部１８１やディスプレイ装置に表示させる。【選択図】      図１
2006209836.tif 000002
【特許請求の範囲】
【請求項１】
磁気テープに対して情報の記録／再生を行う磁気記録再生装置と、光ディスクに対して
情報の記録／再生を行う光ディスク記録再生装置とを備え、前記磁気記録再生装置に備え
られ該装置全体を制御する磁気記録再生装置側システムコントローラと、前記光ディスク
記録再生装置に備えられ該装置全体を制御する光ディスク記録再生装置側システムコント
ローラとが信号ラインで接続されて前記システムコントローラにより相互に制御を行う構
成を有する複合型記録再生装置において、前記磁気記録再生装置側には表示機能および表
示部を設けず、前記光ディスク記録再生装置側の表示部または／およびディスプレイ装置
に、前記磁気記録再生装置側の操作情報を表示させるのに、前記光ディスク記録再生装置
側の表示機能を用いて行うように構成し、前記磁気記録再生装置側システムコントローラ
と前記光ディスク記録再生装置側システムコントローラとの間に、前記磁気記録再生装置
でのテープカウンタの秒単位のデータのみを伝送可能な秒データ伝送ラインを接続し、前
記磁気記録再生装置での磁気テープの走行時に前記テープカウンタの１秒未満のカウント
値に対応する１秒未満のパルスの個数が所定個数になる毎に１秒を示す１パルスを出力す
る１パルス出力手段を前記磁気記録再生装置側システムコントローラに設け、前記秒デー
タ伝送ラインを介して入力された前記１秒パルス出力手段からの１パルスが６０個になっ
たとき前記テープカウンタのカウント値を１分として処理するカウント値処理手段と、前
記秒データ伝送ラインを介して入力された前記１秒パルス出力手段からの１秒を示す１パ
ルスによるカウント値も前記表示部または／およびディスプレイ装置に表示させる秒単位
カウント値表示手段とを前記光ディスク記録再生装置側システムコントローラに設けたこ
とを特徴とする複合型記録再生装置。
【請求項２】
磁気テープに対して情報の記録／再生を行う磁気記録再生装置と、光ディスクに対して
情報の記録／再生を行う光ディスク記録再生装置とを備え、前記磁気記録再生装置に備え
られ該装置全体を制御する磁気記録再生装置側システムコントローラと、前記光ディスク
記録再生装置に備えられ該装置全体を制御する光ディスク記録再生装置側システムコント
ローラとが信号ラインで接続されて前記システムコントローラにより相互に制御を行う構
成を有する複合型記録再生装置において、前記磁気記録再生装置側には表示機能および表
示部を設けず、前記光ディスク記録再生装置側の表示部または／およびディスプレイ装置
に、前記磁気記録再生装置側の操作情報を表示させるのに、前記光ディスク記録再生装置
側の表示機能を用いて行うように構成し、前記磁気記録再生装置側システムコントローラ
と前記光ディスク記録再生装置側システムコントローラとの間に、前記磁気記録再生装置
でのテープカウンタの秒単位のデータのみを伝送可能な秒データ伝送ラインを接続し、前
記磁気記録再生装置からの磁気テープの走行時に発生する１秒単位のパルスを、前記秒デ
ータ伝送ラインを介して前記光ディスク記録再生装置に入力し、１秒単位のカウント値も
前記表示部または／およびディスプレイ装置に表示させるように構成したことを特徴とす
る複合型記録再生装置。
【請求項３】
前記磁気記録再生装置での磁気テープの走行時に前記テープカウンタの１秒未満のカウ
ント値に対応する１秒未満のパルスの個数が所定個数になる毎に１秒を示す１パルスを出
力する１パルス出力手段を前記磁気記録再生装置側システムコントローラに設け、前記秒
データ伝送ラインを介して入力された前記１秒パルス出力手段からの１パルスが６０個に
なったとき前記テープカウンタのカウント値を１分として処理するカウント値処理手段と
、前記秒データ伝送ラインを介して入力された前記１秒パルス出力手段からの１秒を示す
１パルスによるカウント値も前記表示部または／およびディスプレイ装置に表示させる秒
単位カウント値表示手段とを前記光ディスク記録再生装置側システムコントローラに設け
たことを特徴とする請求項２に記載の複合型記録再生装置。
【発明の詳細な説明】
【技術分野】
【０００１】
本発明は、磁気テープに対して情報の記録／再生を行う磁気記録再生装置と、光ディス
クに対して情報の記録／再生を行う光ディスク記録再生装置とを備えた複合型記録再生装
置に関する。
【背景技術】
【０００２】
従来から、ＶＣＲ（ビデオ・カセット・レコーダ）やＶＴＲ（ビデオ・テープ・レコー
ダ）などの磁気記録再生装置では、装填された磁気テープに対して、記録、再生、高速早
送り、高速巻戻しを行うと、テープ走行量を時間で示すためのテープカウンタ（リニア・
タイム・テープ・カウンタ）が設けられ、このテープカウンタからのカウント値（時・分
・秒のデータ）を、装置本体の表示部に表示させたり、ＯＳＤ処理してテレビジョン受像
機などのディスプレイ装置に表示させたりしている。
【０００３】
また、このように磁気テープに対して情報の記録／再生を行う磁気記録再生装置と、光
ディスクに対して情報の記録／再生を行う光ディスク記録再生装置とが複合化された従来
の複合型記録再生装置においては、磁気記録再生装置側と光ディスク記録再生装置側とに
それぞれ表示部が設けられており、磁気テープの走行量を時間で示したカウント値は磁気
記録再生装置側の表示部に表示され、光ディスクの走行量を時間で示したすカウント値は
光ディスク記録再生装置側の表示部に表示される。また、従来の複合型記録再生装置にお
いて、テレビジョン受像機などのディスプレイ装置が接続されている場合は、磁気テープ
の走行量のカウント値や光ディスクの走行量のカウント値はＯＳＤ処理され、ディスプレ
イ装置に表示される。
【特許文献１】特開平７−４５０５３号公報
【特許文献２】特開２００３−２８３９７９号公報
【特許文献３】特開平７−２８２５７０号公報
【特許文献４】特開２００４−３１０８４８号公報
【発明の開示】
【発明が解決しようとする課題】
【０００４】
ところで、このような複合型記録再生装置においては、コストダウンを図るため、磁気
記録再生装置側の表示部および表示機能を削除して、光ディスク記録再生装置側の表示機
能を用いて磁気記録再生装置側のテープカウンタのカウント値を光ディスク記録再生装置
側の表示部に表示させたり、そのカウント値の時・分・秒のデータをＯＳＤ処理してディ
スプレイ装置に表示させたりするような構成にした場合は、次のような課題が生じる。
【０００５】
即ち、ＶＣＲなどの磁気記録再生装置の機能として前記テープカウンタがあり、高速早
送りや高速巻戻し動作時においてはテープカウンタのカウント値の増減速度（アップ／ダ
ウン速度）が最高速で例えば１．８ｍ秒となるため、システム上、磁気記録再生装置と光
ディスク記録再生装置間のデータ通信速度（例えば５０ｍ秒〜１００ｍ秒）では、テープ
カウンタのカウント値の増減に追従できないことになり、光ディスク記録再生装置では、
表示機能を用いてカウント中のカウント値を、表示部やディスプレイ装置に表示させても
、時・分のデータまでは表示できるが、秒のデータは表示できないという課題が生じる。
【０００６】
なお、特許文献１の従来技術では、磁気記録再生装置において、早送りなどでクロック
信号の周期が所定値より小さい場合、時・分についてはカウンタの出力に基づいて表示し
、秒についてのみ別カウンタの出力に基づいてＯＳＤ表示するようにしているが、磁気記
録再生装置と光ディスク記録再生装置とを備えた複合型記録再生装置において、磁気記録
再生装置でのテープカウンタのカウント値を光ディスク記録再生装置側の表示部またはデ
ィスプレイ装置に表示させるように構成したものではない。
【０００７】
特許文献２の従来技術では、早送り時や巻戻し時に、再生コントロール信号を設定分周
比で分周係数して、その係数値を表示しているものであるが、この従来技術も、磁気記録
再生装置と光ディスク記録再生装置とを備えた複合型記録再生装置において、磁気記録再
生装置でのテープカウンタのカウント値を光ディスク記録再生装置側の表示部またはディ
スプレイ装置に表示させるように構成したものではない。
【０００８】
特許文献３の従来技術では、ＶＴＲ（磁気記録再生装置）のカウンタ情報とビデオＣＤ
（光ディスク記録再生装置）のカウンタ情報とを１つの蛍光表示管に表示させるようにし
たものであるが、ＶＴＲ側の磁気テープの高速早送りや高速巻戻し時におけるカウンタ情
報の表示については開示されていない。
【０００９】
特許文献４の従来技術では、デジタルビデオカメラからの再生カウンタ情報をＤＶＤレ
コーダ側で取得しモニタ画面に表示するようにしているが、この従来技術も、磁気記録再
生装置と光ディスク記録再生装置とを備えた複合型記録再生装置において、磁気記録再生
装置でのテープカウンタのカウント値を光ディスク記録再生装置側の表示部またはディス
プレイ装置に表示させるように構成したものではない。
【００１０】
本発明は、上記のような課題を解決するためになされたもので、磁気記録再生装置側に
は表示部および表示機能を有せず、光ディスク記録再生装置側の表示機能を用いて、光デ
ィスク記録再生装置側の表示部やディスプレイ装置にテープカウンタのカウント値を表示
可能にした複合型記録再生装置において、テープカウンタのカウント値における時・分は
もちろん秒のデータも前記表示部やディスプレイ装置に表示できるようにした複合型記録
再生装置を提供することを目的とする。
【課題を解決するための手段】
【００１１】
上記目的を達成するために、請求項１の発明は、磁気テープに対して情報の記録／再生
を行う磁気記録再生装置と、光ディスクに対して情報の記録／再生を行う光ディスク記録
再生装置とを備え、前記磁気記録再生装置に備えられ該装置全体を制御する磁気記録再生
装置側システムコントローラと、前記光ディスク記録再生装置に備えられ該装置全体を制
御する光ディスク記録再生装置側システムコントローラとが信号ラインで接続されて前記
システムコントローラにより相互に制御を行う構成を有する複合型記録再生装置において
、前記磁気記録再生装置側には表示機能および表示部を設けず、前記光ディスク記録再生
装置側の表示部または／およびディスプレイ装置に、前記磁気記録再生装置側の操作情報
を表示させるのに、前記光ディスク記録再生装置側の表示機能を用いて行うように構成し
、前記磁気記録再生装置側システムコントローラと前記光ディスク記録再生装置側システ
ムコントローラとの間に、前記磁気記録再生装置でのテープカウンタの秒単位のデータの
みを伝送可能な秒データ伝送ラインを接続し、前記磁気記録再生装置での磁気テープの走
行時に前記テープカウンタの１秒未満のカウント値に対応する１秒未満のパルスの個数が
所定個数になる毎に１秒を示す１パルスを出力する１パルス出力手段を前記磁気記録再生
装置側システムコントローラに設け、前記秒データ伝送ラインを介して入力された前記１
秒パルス出力手段からの１パルスが６０個になったとき前記テープカウンタのカウント値
を１分として処理するカウント値処理手段と、前記秒データ伝送ラインを介して入力され
た前記１秒パルス出力手段からの１秒を示す１パルスによるカウント値も前記表示部また
は／およびディスプレイ装置に表示させる秒単位カウント値表示手段とを前記光ディスク
記録再生装置側システムコントローラに設けたことを特徴とする複合型記録再生装置を提
供する。
【００１２】
この構成において、磁気記録再生装置に装填された磁気テープに対して例えば高速早送
りが開始すると、テープカウンタのカウント値の時・分のデータは、磁気記録再生装置側
システムコントローラからデータラインを介して光ディスク記録再生装置側システムコン
トローラに伝送される。磁気記録再生装置におけるシステムコントローラのパルス出力手
段は、磁気テープの走行時に走行量に対応する所定時間毎に１パルスを出力、即ち、テー
プカウンタのカウント値の秒のデータを出力する。そして、その秒のデータは、磁気記録
再生装置側システムコントローラから秒データ伝送ラインを介して光ディスク記録再生装
置側システムコントローラに伝送される。
【００１３】
これにより、光ディスク記録再生装置側システムコントローラでは、前記秒データ伝送
ラインを介して入力された前記１秒パルス出力手段からの１パルスが６０個になったとき
前記テープカウンタのカウント値を、カウント値処理手段により１分として処理し、前記
秒データ伝送ラインを介して入力された前記１秒パルス出力手段からの１秒を示す１パル
スによるカウント値も、秒単位カウント値表示手段により前記表示部または／およびディ
スプレイ装置に表示させる。
【００１４】
この構成によれば、磁気記録再生装置側には表示部および表示機能を有せず、光ディス
ク記録再生装置側の表示機能を用いて、光ディスク記録再生装置側の表示部やディスプレ
イ装置にテープカウンタのカウント値を表示可能にした複合型記録再生装置において、テ
ープカウンタのカウント値における時・分はもちろん秒のデータも前記表示部やディスプ
レイ装置に表示できるようにしたので、即ち、磁気記録再生装置側に表示部や表示機能が
ある場合と同様に、テープカウンタのカウント値における時・分はもちろん秒のデータも
前記表示部やディスプレイ装置に表示することができ、これにより、磁気記録再生装置側
の表示機能および表示部を削除でき、本体前面パネルのスペースの縮小化を図れると共に
コストダウンも図れる。
【００１５】
請求項２の発明は、磁気テープに対して情報の記録／再生を行う磁気記録再生装置と、
光ディスクに対して情報の記録／再生を行う光ディスク記録再生装置とを備え、前記磁気
記録再生装置に備えられ該装置全体を制御する磁気記録再生装置側システムコントローラ
と、前記光ディスク記録再生装置に備えられ該装置全体を制御する光ディスク記録再生装
置側システムコントローラとがデータラインで接続されて前記システムコントローラによ
り相互に制御を行う構成を有する複合型記録再生装置において、前記磁気記録再生装置側
には表示機能および表示部を設けず、前記光ディスク記録再生装置側の表示部または／お
よびディスプレイ装置に、前記磁気記録再生装置側の操作情報を表示させるのに、前記光
ディスク記録再生装置側の表示機能を用いて行うように構成し、前記磁気記録再生装置側
システムコントローラと前記光ディスク記録再生装置側システムコントローラとの間に、
前記磁気記録再生装置でのテープカウンタの秒単位のデータのみを伝送可能な秒データ伝
送ラインを接続し、前記磁気記録再生装置からの磁気テープの走行時に発生する１秒単位
のパルスを前記秒データ伝送ラインを介して前記光ディスク記録再生装置に入力し、１秒
単位のカウント値も前記表示部または／およびディスプレイ装置に表示させるように構成
したことを特徴とする複合型記録再生装置を提供する。
【００１６】
この構成において、磁気記録再生装置に装填された磁気テープに対して例えば高速早送
りが開始すると、テープカウンタのカウント値の時・分のデータは、磁気記録再生装置側
システムコントローラからデータラインを介して光ディスク記録再生装置側システムコン
トローラに伝送される。磁気記録再生装置におけるシステムコントローラは、磁気テープ
の走行時に走行量に対応する所定時間毎に１パルスを出力、即ち、テープカウンタのカウ
ント値の秒のデータを出力する。そして、その秒のデータは、磁気記録再生装置側システ
ムコントローラから秒データ伝送ラインを介して光ディスク記録再生装置側システムコン
トローラに伝送される。これにより、光ディスク記録再生装置側システムコントローラで
は、前記秒データ伝送ラインを介して入力された１秒を示す１パルスによるカウント値も
、前記表示部または／およびディスプレイ装置に表示させる。
【００１７】
この構成によれば、磁気記録再生装置側には表示部および表示機能を有せず、光ディス
ク記録再生装置側の表示機能を用いて、光ディスク記録再生装置側の表示部やディスプレ
イ装置にテープカウンタのカウント値を表示可能にした複合型記録再生装置において、テ
ープカウンタのカウント値における時・分はもちろん秒のデータも前記表示部やディスプ
レイ装置に表示できるようにしたので、即ち、磁気記録再生装置側に表示部や表示機能が
ある場合と同様に、テープカウンタのカウント値における時・分はもちろん秒のデータも
前記表示部やディスプレイ装置に表示することができ、これにより、磁気記録再生装置側
の表示機能および表示部を削除でき、本体前面パネルのスペースの縮小化を図れると共に
コストダウンも図れる。
【００１８】
請求項３の発明は、請求項２の発明において、前記磁気記録再生装置での磁気テープの
走行時に前記テープカウンタの１秒未満のカウント値に対応する１秒未満のパルスの個数
が所定個数になる毎に１秒を示す１パルスを出力する１パルス出力手段を前記磁気記録再
生装置側システムコントローラに設け、前記秒データ伝送ラインを介して入力された前記
１秒パルス出力手段からの１パルスが６０個になったとき前記テープカウンタのカウント
値を１分として処理するカウント値処理手段と、前記秒データ伝送ラインを介して入力さ
れた前記１秒パルス出力手段からの１秒を示す１パルスによるカウント値も前記表示部ま
たは／およびディスプレイ装置に表示させる秒単位カウント値表示手段とを前記光ディス
ク記録再生装置側システムコントローラに設けたので、磁気記録再生装置は、秒のデータ
も光ディスク記録再生装置に伝送することができ、光ディスク記録再生装置は、秒のデー
タも表示部または／およびディスプレイ装置に表示させることができる。
【発明の効果】
【００１９】
以上のように本発明によれば、磁気記録再生装置側には表示機能および表示部を設けず
、光ディスク記録再生装置側の表示部または／およびディスプレイ装置に、磁気記録再生
装置側の操作情報を表示させるのに、光ディスク記録再生装置側の表示機能を用いて行う
ように構成し、磁気記録再生装置側システムコントローラと光ディスク記録再生装置側シ
ステムコントローラとの間に、磁気記録再生装置でのテープカウンタの秒単位のデータの
みを伝送可能な秒データ伝送ラインを接続し、磁気記録再生装置での磁気テープの走行時
にテープカウンタの１秒未満のカウント値に対応する１秒未満のパルスの個数が所定個数
になる毎に１秒を示す１パルスを出力する１パルス出力手段を磁気記録再生装置側システ
ムコントローラに設け、前記秒データ伝送ラインを介して入力された前記１秒パルス出力
手段からの１パルスが６０個になったときテープカウンタのカウント値を１分として処理
するカウント値処理手段と、前記秒データ伝送ラインを介して入力された１秒パルス出力
手段からの１秒を示す１パルスによるカウント値も表示部または／およびディスプレイ装
置に表示させる秒単位カウント値表示手段とを光ディスク記録再生装置側システムコント
ローラに設けたので、テープカウンタのカウント値における時・分はもちろん秒のデータ
も表示部やディスプレイ装置に表示できるようになり、これにより、磁気記録再生装置側
の表示機能および表示部を削除でき、本体前面パネルのスペースの縮小化を図れると共に
コストダウンも図れる。
【００２０】
また、発明によれば、磁気記録再生装置側には表示機能および表示部を設けず、光ディ
スク記録再生装置側の表示部または／およびディスプレイ装置に、前記磁気記録再生装置
側の操作情報を表示させるのに、光ディスク記録再生装置側の表示機能を用いて行うよう
に構成し、磁気記録再生装置側システムコントローラと光ディスク記録再生装置側システ
ムコントローラとの間に、磁気記録再生装置でのテープカウンタの秒単位のデータのみを
伝送可能な秒データ伝送ラインを接続し、磁気記録再生装置からの磁気テープの走行時に
発生する１秒単位のパルスを、前記秒データ伝送ラインを介して光ディスク記録再生装置
に入力し、１秒単位のカウント値も表示部または／およびディスプレイ装置に表示させる
ように構成したので、テープカウンタのカウント値における時・分はもちろん秒のデータ
も表示部やディスプレイ装置に表示できるようなり、これにより、磁気記録再生装置側の
表示機能および表示部を削除でき、本体前面パネルのスペースの縮小化を図れると共にコ
ストダウンも図れる。
【発明を実施するための最良の形態】
【００２１】
以下、添付図面を参照しつつ、本発明の実施の形態について説明する。図１は本発明の
一実施形態に係る複合型記録再生装置の構成を示すブロック図である。
【００２２】
この複合型記録再生装置は、光ディスク記録再生装置としてのＤＶＤ（デジタル・バー
サタイル・ディスク）レコーダ１と、磁気記録再生装置としてのＶＣＲ（ビデオ・カセッ
ト・レコーダ）２とから構成される。なお、ＶＣＲの代わりにＶＴＲ（ビデオ・テープ・
レコーダ）でも良い。ＤＶＤレコーダ１には、入出力回路１１、チューナ／音多回路１２
、ビデオデコーダ／スイッチ回路１３、オーディオエンコーダ／デコーダ／スイッチ回路
１４、ビデオエンコーダ（ＯＳＤ）／スイッチ回路１５、システムコントローラ１６、記
録／再生部１７、操作部１８、および電源部１９などが備えられている。ＶＣＲ２には、
オーディオ処理回路２１、ＥＥＰＲＯＭ２２、ビデオ処理回路２３、システムコントロー
ラ２４、記録／再生部２５、およびＬＥＤ２６などが備えられている。
【００２３】
ＤＶＤレコーダ１において、電源部１９は、ＤＶＤレコーダ１の各構成要素およびＶＣ
Ｒ２の各構成要素に電源を供給する。チューナ／音多回路１２は、テレビ放送信号を受信
して所望の放送局を選局して映像音声信号を出力すると共に、選局された放送局からの２
ヶ国語音声信号またはステレオ音声信号を選択して出力する。オーディオエンコーダ／デ
コーダ／スイッチ回路１４は、チューナ／音多回路１２からの音声信号をエンコードする
エンコーダと、ＶＣＲ２のオーディオ処理回路２１からの音声信号をデコードするデコー
ダと、チューナ／音多回路１２からの音声信号を、オーディオエンコーダ／デコーダ／ス
イッチ回路１４内のエンコーダに入力するか、ＶＣＲ２のオーディオ処理回路２１に出力
するかの切り換えを行うスイッチ回路とを有している。
【００２４】
入出力回路１１は、外部機器からの映像信号を入力してビデオデコーダ／スイッチ回路
１３に出力したり、オーディオエンコーダ／デコーダ／スイッチ回路１４からの音声信号
を入力してテレビジョン受像機（ＴＶ）に出力すると共にビデオエンコーダ（ＯＳＤ）／
スイッチ回路１５からの映像信号をテレビジョン受像機に出力したり、また、チューナ／
音多回路１２からの映像信号を入力してビデオデコーダ／スイッチ回路１３に出力したり
する。
【００２５】
入力出力ビデオデコーダ／スイッチ回路１３は、入出力回路１１からの映像信号をデコ
ードするデコーダと、入出力回路１１からの映像信号を、前記デコーダに入力するか、Ｖ
ＣＲ２のビデオ処理回路２３に出力するかの切り換えを行うスイッチ回路とを有している
。ビデオエンコーダ（ＯＳＤ）／スイッチ回路１５は、ビデオデコーダ／スイッチ回路１
３からの映像信号をエンコードしてＯＳＤ処理するエンコーダ（ＯＳＤ）と、ビデオデコ
ーダ／スイッチ回路１３からの映像信号をエンコーダによりエンコードしてから入出力回
路１１に出力するか、システムコントローラ２４からの映像信号（コンポジット信号）を
入出力回路１１に出力するかの切り換えを行うスイッチ回路とを有している。
【００２６】
記録／再生部１７は、ＤＶＤを回転させるスピンドルモータやＤＶＤに対して映像音声
情報の書き込み／読み出しを光学的に行う光ピックアップなどを有する。この記録／再生
部１７では、記録時には、ビデオエンコーダ（ＯＳＤ）／スイッチ回路１５からの映像信
号およびオーディオエンコーダ／デコーダ／スイッチ回路１４からの音声信号にそれぞれ
変調を掛けた変調映像音声信号を光ピックアップに入力してＤＶＤに映像音声情報を記録
し、再生時には、光ピックアップにより読み出されたＤＶＤからのＲＦ信号に含まれる映
像信号をビデオデコーダ／スイッチ回路１３に入力してデコードし、再生映像信号として
出力すると共に、前記ＲＦ信号に含まれる音声信号をオーディオエンコーダ／デコーダ／
スイッチ回路１４に入力してデコードし、再生音声信号として出力する。
【００２７】
操作部１８には、操作情報などを表示する表示部１８１、図示しないリモコンからの赤
外線信号を受光する受光部１８２、動作状態を示すためのＬＥＤ（発光ダイオード）１８
３、および各種操作を行うための複数の本体キー１８４などが備えられている。この操作
部１８は、ＤＶＤレコーダ１の操作は勿論、ＶＣＲ２の操作にも用いられる。システムコ
ントローラ１６は、ＤＶＤレコーダ１の各構成要素を制御すると共に、秒データ伝送ライ
ンＬ１２を介して入力されたＶＣＲ２のシステムコントローラ２４の１秒パルス出力手段
からの１パルスが６０個になったときＶＣＲ２の記録／再生部２５のテープカウンタ２５
１のカウント値を１分として処理するカウント値処理手段と、前記秒データ伝送ラインＬ
１２を介して入力された前記１秒パルス出力手段からの１秒を示す１パルスによるカウン
ト値も表示部１８１または／およびディスプレイ装置に表示させる秒単位カウント値表示
手段とを有する。
【００２８】
ＶＣＲ２において、オーディオ処理回路２１は、記録／再生部２５からの音声信号また
はＤＶＤレコーダ１のオーディオエンコーダ／デコーダ／スイッチ回路１４からの音声信
号を所定処理する。即ち、オーディオ処理回路２１は、記録／再生部２５からの再生音声
信号を処理してＤＶＤレコーダ１のオーディオエンコーダ／デコーダ／スイッチ回路１４
に入力したり、オーディオエンコーダ／デコーダ／スイッチ回路１４からの音声信号を記
録／再生部２５で記録できるように処理して記録／再生部２５に入力したりする。
【００２９】
ビデオ処理回路２３は、記録／再生部２５からの映像信号またはＤＶＤレコーダ１のビ
デオデコーダ／スイッチ回路１３からの映像信号を所定処理する。即ち、ビデオ処理回路
２３は、記録／再生部２５からの再生映像信号を処理してシステムコントローラ２４に入
力したり、ビデオデコーダ／スイッチ回路１３からの映像信号を記録／再生部２５で記録
できるように処理して記録／再生部２５に入力したりする。ＥＥＰＲＯＭ２１は、不揮発
性メモリであり、電源がオフしたときでも、オフ前の動作状態を覚えさせておくのに用い
られる。
【００３０】
記録／再生部２５は、磁気テープ（カセットテープ）に対して映像音声情報を書き込ん
だり、読み出したりするための磁気ヘッドや、装填された磁気テープを走行させるテープ
走行機構などを備えている。ＬＥＤ２６は、ＶＣＲ２が動作状態に入っていることなどを
示すための発光ダイオードである。システムコントローラ２４は、ＶＣＲ２の各構成要素
を制御するものであり、特に、ＶＣＲ２での磁気テープの走行時にテープカウンタ２５１
の１秒未満のカウント値に対応する１秒未満のパルスの個数が所定個数になる毎に１秒を
示す１パルスを出力する１パルス出力手段を有している。
【００３１】
ＤＶＤレコーダ１において、ラインＬ１はビデオエンコーダ（ＯＳＤ）／スイッチ回路
１５からの映像信号を入出力回路１１に供給するための信号ラインである。ラインＬ２は
、入出力回路１１からの映像信号をビデオデコーダ／スイッチ回路１３に供給するための
信号ラインである。ラインＬ３は、オーディオエンコーダ／デコーダ／スイッチ回路１４
からの音声信号を入出力回路１１に供給するための信号ラインである。ラインＬ４は、チ
ューナ／音多回路１２からの音声信号をオーディオエンコーダ／デコーダ／スイッチ回路
１４に供給するための信号ラインである。ラインＬ５は、ビデオデコーダ／スイッチ回路
１３からの映像信号をビデオエンコーダ（ＯＳＤ）／スイッチ回路１５に供給するための
信号ラインである。ラインＬ６は、システムコントローラ１６と記録／再生部１７との間
の信号の授受を行うための信号ラインである。ラインＬ７は、システムコントローラ１６
と操作部１８との間の信号の授受を行うための信号ラインである。
【００３２】
ラインＬ８は、ＤＶＤレコーダ１内の各構成要素およびＶＣＲ２内の各構成要素に電源
を供給するための電源ラインである。ラインＬ９は、ＤＶＤレコーダ１のオーディオエン
コーダ／デコーダ／スイッチ回路１４とＶＣＲ２のオーディオ処理回路２１との間で、左
チャンネル音声信号および右チャンネル音声信号を伝送するための信号ラインである。ラ
インＬ１０は、ＤＶＤレコーダ１のビデオデコーダ／スイッチ回路１３からの映像信号を
ＶＣＲ２のビデオ処理回路２３に伝送するための信号ラインである。ラインＬ１１は、Ｖ
ＣＲ２のシステムコントローラ２４からの映像信号をＤＶＤレコーダ１のビデオエンコー
ダ（ＯＳＤ）／スイッチ回路１５に伝送するための信号ラインである。ラインＬ１２は、
ＶＣＲ２のシステムコントローラ２４からの秒単位のデータ（テープカウンタ２５１の秒
単位のデータ）のみをＤＶＤレコーダ１のシステムコントローラ１６に伝送するための秒
データ伝送ライン（コントロール・パルス・ライン）である。ラインＬ１３は、ＶＣＲ２
のシステムコントローラ２４とＤＶＤレコーダ１のシステムコントローラ１６との間で信
号の授受を行うためのデータライン（コントロール・インターフェース・ライン）である
。
【００３３】
ＶＣＲ２において、ラインＬ１４は、オーディオ処理回路２１とＥＥＰＲＯＭ２２とビ
デオ処理回路２３とシステムコントローラ２４とを接続するデータバスラインである。ラ
インＬ１５は、オーディオ処理回路２１と記録／再生部２５との間で信号の授受を行うた
めの信号ラインである。ラインＬ１６は、ビデオ処理回路２３と記録／再生部２５との間
で信号の授受を行うための信号ラインである。ラインＬ１７は、システムコントローラ２
４と記録／再生部２５との間で信号の授受を行うための信号ラインである。ラインＬ１８
は、システムコントローラ２４からの駆動信号をＬＥＤ２６に供給するための信号ライン
である。
【００３４】
図２は本実施形態においてＶＣＲ側の磁気テープを再生／高速早送り／高速巻戻し動作
させた場合のテープカウンタのカウント値をＤＶＤレコーダ側の表示部などに表示される
までの処理を説明するためのフローチャートである。このフローチャートを参照してＶＣ
Ｒ側の磁気テープを再生／高速早送り／高速巻戻し動作させた場合のテープカウンタのカ
ウント値をＤＶＤレコーダ側の表示部に表示されるまでの処理について説明する。
【００３５】
先ず、磁気テープ（カセットテープ）をＶＣＲ２に装填し（ステップＳ１）、操作部１
８の本体キー１８４に含まれる再生キー、あるいは図示しないリモコンの再生キーを押下
（ステップＳ２）した後、磁気テープの再生位置がテープ終端でない場合、または本体キ
ー１８４に含まれる停止キーあるいはリモコンの停止キーを押下しない場合は（ステップ
Ｓ３）、磁気テープに記録された映像音声情報の再生が開始される（ステップＳ４）。
【００３６】
この再生が開始すると、ＶＣＲ２の記録／再生部２５に備えられているテープカウンタ
２５１は、磁気テープへの映像音声情報の記録時に記録されたコントロール信号を読み取
り、それに従ってカウントアップし、システムコントローラ２４は前記カウントアップし
たカウント値のデータを、データラインＬ１３を介してＤＶＤレコーダ１のシステムコン
トローラ１６に伝送し、表示部１８１にカウント値を表示させる（ステップＳ５）。この
ようなＶＣＲ２での磁気テープの通常再生におけるカウント値のデータ（時・分・秒）は
、従来から設けられているコントロール・インターフェース・ラインであるデータライン
Ｌ１３（例えば５０ｍ〜１００ｍ秒の間隔でデータの伝送が可能な信号ライン）を用いて
ＤＶＤレコーダ１側へ伝送することができ、表示部１８１やディスプレイ装置（図示せず
）にカウント値のデータを時・分はもちろん秒まで表示することができる。
【００３７】
次に、操作部１８の本体キー１８４に含まれる高速早送りキー、あるいは図示しないリ
モコンの高速早送りキーを押下（ステップＳ６）した後、磁気テープの高速早送り開始位
置がテープ終端でない場合、または本体キー１８４に含まれる停止キーあるいはリモコン
の停止キーを押下しない場合は（ステップＳ７）、磁気テープは高速早送りが開始される
（ステップＳ８）。
【００３８】
この高速早送りが開始すると、ＶＣＲ２の記録／再生部２５に備えられているテープカ
ウンタ２５１は、磁気テープへの映像音声情報の記録時に記録されたコントロール信号（
周期は約数μ〜数十μ秒の信号）を読み取り、高速でカウントアップし、システムコント
ローラ２４は、前記カウントアップしたカウント値のデータ（時・分のデータ）を、デー
タラインＬ１３を介して、前記カウントアップしたカウント値のデータ（秒のデータ）を
、秒データ伝送ラインＬ１２を介して、ＤＶＤレコーダ１のシステムコントローラ１６に
伝送し、表示部１８１やディスプレイ装置にカウント値を表示させる（ステップＳ９）。
【００３９】
このようなＶＣＲ２での磁気テープの高速早送りにおけるカウント値のデータ（時・分
・秒）のうち時・分のデータは、データラインＬ１３を用いてＤＶＤレコーダ１側へ伝送
することができ、秒のデータは、秒データ伝送ラインＬ１２を用いて伝送することができ
る。即ち、高速早送り時においては、表示部１８１やディスプレイ装置への表示は１秒毎
にカウントアップするが、この表示の１秒のカウントアップ時間が最高速に達する時の最
短時間が例えば６０μ秒であり、１秒カウントアップするのに、６０μ秒×３０＝１８０
０μ秒（１．８ｍ秒）かかり、したがって、秒データは、周期が１．８ｍ秒のパルスでＶ
ＣＲ２から秒データ伝送ラインＬ１２を介してＤＶＤレコーダ１へ伝送される。これによ
り、表示部１８１やディスプレイ装置には、ＶＣＲ２からのカウント値のデータを時・分
はもちろん秒まで表示することができる。
【００４０】
なお、６０μ秒×３０＝１８００μ秒（１．８ｍ秒）における「３０」は、ＶＣＲ２側
のテープカウンタ２５１のカウント値が例えば図３（１）に示すように１秒未満のパルス
が３０個であることを示している。また、図３（２）に示すパルスは、図３（１）のパル
スを３０個カウントしたときにテープカウンタ２５１から出力する１パルスを示す。
【００４１】
ステップＳ７において、テープ終端または停止キーの押下を検出した場合は、テープカ
ウンタ２５１のカウントアップ動作は停止し、このときはデータラインＬ１３からの時・
分・秒のデータにより表示部１８１やディスプレイ装置にカウント値が表示される。
【００４２】
次に、操作部１８の本体キー１８４に含まれる高速巻戻しキー、あるいは図示しないリ
モコンの高速巻戻しキーを押下（ステップＳ１０）した後、磁気テープの高速巻戻し開始
位置がテープ始端でない場合、または本体キー１８４に含まれる停止キーあるいはリモコ
ンの停止キーを押下しない場合は（ステップＳ１１）、磁気テープは高速巻戻しが開始さ
れる（ステップＳ１２）。
【００４３】
この高速巻戻しが開始すると、ＶＣＲ２の記録／再生部２５に備えられているテープカ
ウンタ２５１は、磁気テープへの映像音声情報の記録時に記録されたコントロール信号を
読み取り、それに従って高速でカウントダウンし、システムコントローラ２４は、前記カ
ウントダウンしたカウント値のデータ（時・分のデータ）を、データラインＬ１３を介し
て、前記カウントダウンしたカウント値のデータ（秒のデータ）を、秒データ伝送ライン
Ｌ１２を介して、ＤＶＤレコーダ１のシステムコントローラ１６に伝送し、表示部１８１
やディスプレイ装置にカウント値を表示させる（ステップＳ１３）。
【００４４】
このようなＶＣＲ２での磁気テープの高速巻戻しにおけるカウント値のデータ（時・分
・秒）のうち時・分のデータは、データラインＬ１３を用いてＤＶＤレコーダ１側へ伝送
することができ、秒のデータは、秒データ伝送ラインＬ１２を用いて伝送することができ
る。即ち、高速巻戻し時においては、表示部１８１の表示は１秒毎にカウントダウンする
が、この表示の１秒のカウントダウン時間が最高速に達する時の最短時間が例えば６０μ
秒であり、１秒カウントダウンするのに、６０μ秒×３０＝１８００μ秒（１．８ｍ秒）
かかり、したがって、秒データは、周期が１．８ｍ秒のパルスでＶＣＲ２から秒データ伝
送ラインＬ１２を介してＤＶＤレコーダ１へ伝送される。これにより、表示部１８１には
、ＶＣＲ２からのカウント値のデータを時・分はもちろん秒まで表示することができる。
【００４５】
ステップＳ１１において、テープ始端または停止キーの押下を検出した場合は、テープ
カウンタ２５１のカウントダウン動作は停止し、このときはデータラインＬ１３からの時
・分・秒のデータにより表示部１８１やディスプレイ装置にカウント値が表示される。
【００４６】
以上説明したように本実施形態によれば、ＶＣＲ側には表示部および表示機能を有せず
、ＤＶＤレコーダ側の表示機能を用いて、ＤＶＤレコーダ側の表示部やディスプレイ装置
にテープカウンタのカウント値を表示可能にした複合型記録再生装置において、テープカ
ウンタのカウント値における時・分はもちろん秒のデータも表示部やディスプレイ装置に
表示できるようにしたので、即ち、ＶＣＲ側に表示部や表示機能がある場合と同様に、テ
ープカウンタのカウント値における時・分はもちろん秒のデータも表示部やディスプレイ
装置に表示することができるようにしたので、ＶＣＲ側の表示機能および表示部を削除で
き、これにより、本体前面パネルのスペースの縮小化を図れると共にコストダウンも図れ
る。
【図面の簡単な説明】
【００４７】
【図１】本発明の一実施形態に係る複合型記録再生装置の構成を示すブロック図である。
【図２】前記実施形態においてＶＣＲ側の磁気テープを再生／高速早送り／高速巻戻し動作させた場合のテープカウンタのカウント値をＤＶＤレコーダ側の表示部などに表示されるまでの処理を説明するためのフローチャートである。
【図３】前記実施形態においてテープカウンタのパルスを示す信号波形図である。
【符号の説明】
【００４８】
１    ＤＶＤレコーダ（光ディスク記録再生装置）
２    ＶＣＲ（磁気記録再生装置）
１６    システムコントローラ（カウント値処理手段、秒単位カウント値表示手段）
２４    システムコントローラ（１パルス出力手段）
１８１    表示部
Ｌ１２    秒データ伝送ライン
Ｌ１３    データライン
【図１】
2006209836.tif 000003
【図２】
2006209836.tif 000004
【図３】
2006209836.tif 000005